(57)【要約】 【課題】  光が室内に漏れるのを効果的に防止し得る、引上げ式カーテン用の遮光型管状テープを提供する。【解決手段】引上げ式カーテンを構成するに際し、カーテン５に縫い付けられる遮光型管状テープである。水平方向に延長する如くカーテン５に縫い付けられる取着片６と、取着片６の縫い目列７よりも上側の水平な連設部９に連設されたカバー片１０を具える。カバー片１０は、水平に延長する管状体１０ａとして構成され、管状体１０ａに棒状体１３が挿入された状態で、縫い目列７が垂れたカバー片１０で覆い隠される。取着片６或いはカバー片１０に、カーテン５を引上げ操作する操作紐２０を挿通させる紐通し部材２１を取り付け可能となされている。カーテン５に当接し得る遮光張出片１６が、連設部９に、その上方に張り出す如く突設され、遮光張出片１６の表面部に、操作紐２０を挿通させる紐通し部材２１が設けられている。【選択図】図６
2014097121.tif 000002
【特許請求の範囲】
【請求項１】
ひだ状折り返し部が積み重なる状態に引上げ可能となされた引上げ式カーテンを構成する引上げ式カーテン用の遮光型管状テープであって、
水平方向に延長する如くカーテンに当接され且つ水平方向でカーテンに縫い付けられる取着片と、該取着片の上縁側の部分であって且つ該縫い付けによる縫い目列よりも上側の水平な連設部に連設されたカバー片とを具え、
該カバー片は、水平方向に延長する管状体として構成されており、該管状体に棒状体が挿入された状態で、前記縫い目列が、垂れた状態の該カバー片で覆い隠される如くなされ、
又、前記取着片或いは前記カバー片に、カーテンを引上げ操作するための操作紐を挿通させる紐通し部材を取り付け可能となされており、又は、該操作紐を挿通させる紐挿通部が設けられていることを特徴とする引上げ式カーテン用の遮光型管状テープ。
【請求項２】
前記該管状体が垂れた状態で、該管状体に挿入されている前記棒状体が前記前記縫い目列を覆い隠すことを特徴とする請求項１記載の引上げ式カーテン用の遮光型管状テープ。
【請求項３】
ひだ状折り返し部が積み重なる状態に引上げ可能となされた引上げ式カーテンを構成する引上げ式カーテン用の遮光型管状テープであって、
水平方向に延長する如くカーテンに当接され且つ水平方向でカーテンに縫い付けられる取着片と、該取着片の上縁側の部分であって且つ該縫い付けによる縫い目列よりも上側の水平な連設部に連設されたカバー片とを具え、
前記取着片は、水平方向に延長する管状体として構成されており、該管状体に棒状体が挿入された状態で、該管状体が、該棒状体よりも上側部位において前記カーテンに縫い付けられるものとなされており、
前記カバー片は、前記縫い目列を覆い隠す如くなされ、
又、前記取着片或いは前記カバー片に、カーテンを引上げ操作するための操作紐を挿通させる紐通し部材を取り付け可能となされており、又は、該操作紐を挿通させる紐挿通部が設けられていることを特徴とする引上げ式カーテン用の遮光型管状テープ。
【請求項４】
前記カーテンに当接し得る遮光張出片が前記連設部に、その上方に張出す如く突設されていることを特徴とする請求項１、２又は３記載の引上げ式カーテン用の遮光型管状テープ。
【請求項５】
前記遮光張出片の表面部に、前記カーテンを引上げ操作するための操作紐を挿通させる紐通し部材を取り付けるための取付け部が設けられていることを特徴とする請求項４記載の引上げ式カーテン用の遮光型管状テープ。
【発明の詳細な説明】
【技術分野】
【０００１】
本発明は、ひだ状折り返し部が積み重なる状態に引上げ可能となされた引上げ式カーテンを構成するに際し、縫い付けによりカーテンに取着される引上げ式カーテン用の遮光型管状テープに関するものである。
【背景技術】
【０００２】
ひだ状折り返し部が積み重なる状態に引上げ可能となされた引上げ式カーテンを構成するに際し、カーテンに縫い付けにより取着される引上げ式カーテン用の管状テープとして特許文献１記載のものが提供されている。
【０００３】
該管状テープａは、図２７に示すように、管状に製織され且つ一側縁ｂに、該側縁ｂの延長方向に長い出し入れ用の開口ｃが所要間隔を置いて並設されてなる管状体ｄを具え、該管状体ｄには、図２８〜２９に示すように、その長さ方向に棒状体ｅが挿入せしめられるものとなされ、且つ該棒状体ｅを、前記開口ｃを通して管状体ｄに挿入可能となされ、又、該管状体ｄの他側縁ｆに張出片ｇが突設されていた。そして前記管状体ｄの表面部ｈには、カーテンｊを引上げ操作するための操作紐ｋを挿通させる紐通し部ｍを構成するための遊離片ｎが、該管状体ｄの長さ方向に小間隔を置いて並設され、該遊離片ｎは、該管状体ｄの表面部ｈに、両端ｐ，ｐが該表面部ｈに織り込まれ且つ中間部分が該表面部ｈから遊離して形成されていた。そして、該遊離した部分ｑが、図２９に示すように、引上げ式カーテンｒを引上げ操作するための前記操作紐ｋを通す紐通しｓとされていた。
【０００４】
かかる構成を有する管状テープａを用いて前記引上げ式カーテンｒを構成するには、図２８に示すように、該管状テープａがカーテンｊの裏面部ｔに、その下縁寄りの部分を基端として上方に向け所要間隔で多段（例えば１０〜２０ｃｍ程度の間隔を置いて多段）に縫い付けられた。その要領は、前記管状テープａを、前記遊離片ｎを表にして且つ前記張出片ｇを上側にして、カーテンｊの裏面部ｔに幅方向（左右方向）に延びる如く当接させ、該張出片ｇにおいてカーテンｊに縫い付けて行うものであった。この際、前記遊離片ｎが上下方向一直線に並設される如くなされていた。そして、管状体ｄの両端部分は縫着や融着等の手段により封止された。
【０００５】
又、図２８に示すように、カーテンｊの左右方向に３０ｃｍ程度の間隔を置いて選択された上下方向に並ぶ前記遊離片ｎが形成する遊離した部分ｑの夫々に、前記操作紐ｋを挿通せしめ、且つ、該操作紐ｋの下端ｖが最下端の遊離片ｎ１に固定状態とされていた。そして該操作紐ｋは、操作ボックス（図３０）ｗにおける巻き上げ装置によって巻き上げ、巻き戻し可能とされていた。
【０００６】
然して前記操作紐ｋを巻き上げると、管状体ｄにはその左右方向に棒状体ｅが挿通されているため、図３０に示す如くカーテンｊは、矩形片状のひだ状折り返し部ｘを形成しつつ該ひだ状折り返し部ｘが積み重なる状態に引上げられることになった。
【０００７】
前記構成を有する管状テープａを用いて構成された引上げ式カーテンｒは、ひだ状折り返し部ｘが積み重なる状態に引上げられる引上げ式カーテンを簡易に構成できる利点はあった。しかしながら、前記カーテンｊへの前記管状テープａの取り付けを、前記張出片ｇをカーテンｊに縫い付けて行っていたため、その縫い目列ｙの各縫い目ｚを通して室内に光が進入した。ところで近年、ＡＶ機器の操作時や、ホテルにおける日中の仮眠時等において、完全な暗室が要求されることが多くなってきているが、このような要求に応じ得る管状テープの提供が求められていた。
【先行技術文献】
【特許文献】
【０００８】
【特許文献１】特開平９−１５４７１１号公報
【発明の概要】
【発明が解決しようとする課題】
【０００９】
本発明は、かかる従来の問題点に鑑みて開発されたものであり、ひだ状折り返し部が積み重なる状態に引上げ可能となされた引上げ式カーテンを構成する管状テープをカーテンに縫い付けた際においてもその縫い目を通して光が室内に漏れるのを効果的に防止し得る引上げ式カーテン用の遮光型管状テープの提供を課題とするものである。
【課題を解決するための手段】
【００１０】
前記課題を解決するため本発明は以下の手段を採用する。
即ち、本発明に係る引上げ式カーテン用の遮光型管状テープ（以下遮光型管状テープという）は、ひだ状折り返し部が積み重なる状態に引上げ可能となされた引上げ式カーテンを構成する引上げ式カーテン用の遮光型管状テープであって、水平方向に延長する如くカーテンに当接され且つ水平方向でカーテンに縫い付けられる取着片と、該取着片の上縁側の部分であって且つ該縫い付けによる縫い目列よりも上側の水平な連設部に連設されたカバー片とを具える。そして、該カバー片は、水平方向に延長する管状体として構成されており、該管状体に棒状体が挿入された状態で、前記縫い目列が、垂れた状態の該カバー片で覆い隠される如くなされ、又、前記取着片或いは前記カバー片に、カーテンを引上げ操作するための操作紐を挿通させる紐通し部材を取り付け可能となされており、又は、該操作紐を挿通させる紐挿通部が設けられていることを特徴とするものである。
【００１１】
この場合、前記該管状体が垂れた状態で、該管状体に挿入されている前記棒状体が前記前記縫い目列を覆い隠すように構成するとよい。
【００１２】
本発明に係る遮光型管状テープの他の態様は、ひだ状折り返し部が積み重なる状態に引上げ可能となされた引上げ式カーテンを構成する引上げ式カーテン用の遮光型管状テープであって、水平方向に延長する如くカーテンに当接され且つ水平方向でカーテンに縫い付けられる取着片と、該取着片の上縁側の部分であって且つ該縫い付けによる縫い目列よりも上側の水平な連設部に連設されたカバー片とを具える。そして、前記取着片は、水平方向に延長する管状体として構成されており、該管状体に棒状体が挿入された状態で、該管状体が、該棒状体よりも上側部位において前記カーテンに縫い付けられるものとなされており、前記カバー片は、前記縫い目列を覆い隠す如くなされ、又、前記取着片或いは前記カバー片に、カーテンを引上げ操作するための操作紐を挿通させる紐通し部材を取り付け可能となされており、又は、該操作紐を挿通させる紐挿通部が設けられていることを特徴とするものである。
【００１３】
前記の各遮光型管状テープにおいて、前記カーテンに当接し得る遮光張出片が、前記連設部に、その上方に張出す如く突設するのがよい。この場合、前記遮光張出片の表面部に、前記カーテンを引上げ操作するための操作紐を挿通させる紐通し部材を取り付けるための取付け部を設けるのがよい。
【発明の効果】
【００１４】
本発明に係る遮光型管状テープによるときは、ひだ状折り返し部が積み重なる状態に引上げ可能となされた引上げ式カーテンを構成するに際し、取着片をカーテンに縫い付けたときに、各縫い目を通して光が室内に漏れるのを効果的に防止できる。そして該遮光型管状テープは、これをカーテンに所要に縫い付けるだけで効果的な遮光を図り得る簡易さがある。
【００１５】
又、本発明に係る遮光型管状テープが前記遮光張出片を具える場合は、カーテンの裏面部に当った光が前記縫い目に入りにくくなるため、遮光効果の向上を期し得ることとなる。
【図面の簡単な説明】
【００１６】
【図１】本発明に係る遮光型管状テープを説明する斜視図である。
【図２】その取着片をカーテンに取り付けた状態を示す斜視図である。
【図３】カーテンを多少引き上げた状態を示す斜視図である。
【図４】引上げ式カーテンの裏面側の構成を説明する部分斜視図である。
【図５】ひだ状折り返し部が積み重なった状態を説明する断面図である。
【図６】その部分拡大図である。
【図７】図６において管状体を持ち上げた状態を示す斜視図である。
【図８】カーテンに取り付けられた遮光型管状テープにおいて、管状体に棒状体が挿入されている状態を示す断面図である。
【図９】カーテンに取着された各管状体の両端部分が折り曲げられてカーテンに縫い付けられた状態を示す斜視図である。
【図１０】カーテンに取着された遮光型管状テープの取付け部に取り付けられた紐通し部材に操作紐が挿通された状態を示す斜視図である。
【図１１】本発明に係る遮光型管状テープを、カーテンに取着され且つ管状体に棒状体が挿入された状態で示す断面図である。
【図１２】本発明に係る遮光型管状テープの他の使用状態を示す斜視図である。
【図１３】その断面図である。
【図１４】本発明に係る遮光型管状テープのその他の態様をその使用態様を示す斜視図である。
【図１５】本発明に係る遮光型管状テープのその他の態様をその使用態様を示す斜視図である。
【図１６】本発明に係る遮光型管状テープのその他の態様をその使用態様を示す斜視図である。
【図１７】本発明に係る遮光型管状テープのその他の態様をその使用態様を示す斜視図である。
【図１８】本発明に係る遮光型管状テープのその他の態様をその使用態様を示す斜視図である。
【図１９】本発明に係る遮光型管状テープのその他の態様をその使用態様を示す斜視図である。
【図２０】本発明が、引上げ式カーテン用のコードガイドテープとして応用された場合を示す部分斜視図である。
【図２１】その取着片をカーテンに縫い付けた状態を示す斜視図である。
【図２２】そのコードガイドテープをカーテンに上下方向に延長する如く縫い付けた状態を説明する斜視図である。
【図２３】そのコードガイドテープの他の態様をその使用状態で示す部分斜視図である。
【図２４】そのコードガイドテープのその他の態様をその使用状態で示す斜視図である。
【図２５】コードガイドテープのその他の態様を示す斜視図である。
【図２６】そのコードガイドテープをカーテンに縫い付けた状態を示す斜視図である。
【図２７】従来の引上げ式カーテン用の管状テープを説明する斜視図である。
【図２８】その管状テープを用いて構成された引上げ式カーテンを説明する斜視図である。
【図２９】その部分拡大図である。
【図３０】その引上げ式カーテンの引上げ状態を示す斜視図である。
【発明を実施するための形態】
【実施例１】
【００１７】
図１〜２において本発明に係る遮光型管状テープ１は、本実施例においては全体が製織により一体に形成されており、ひだ状折り返し部２が積み重なる状態に引上げ可能となされた引上げ式カーテン３（図３〜７）を構成する遮光性のカーテン５に、縫い付けにより取着されるものである。そして、該カーテン５を吊下状態で見たとき、図２、図４、図６〜８に示すように、該カーテン５に幅方向（水平方向）で縫い付けられる取着片６と、該取着片６の上縁側の部分であって且つ該縫い付けによる縫い目列７よりも上側をなす水平な連設部９に連設されたカバー片１０とを具えている。
【００１８】
前記カバー片１０は、本実施例においては図１〜２、図６〜８に示すように、水平方向に延長する管状体１０ａとして構成されており、該管状体１０ａは、その一側縁（下縁）１１に、該一側縁１１の延長方向に伸びる所要長さの出し入れ用開口（以下開口という）１２が所要間隔を置いて並設されてなる。そして該管状体１０ａには図４〜７に示すように、その長さ方向に棒状体１３が挿入せしめられるものとなされ、且つ、該棒状体１３を、前記開口１２を通して該管状体１０ａに挿入でき、且つ該管状体１０ａより取り外し可能となされている。
【００１９】
そして、本実施例においては図１、図４、図６〜８に示すように、前記連設部９に、上方に張り出し且つ前記カーテン５に当接し得る遮光張出片１６が突設されている。該遮光張出片１６は、前記管状体１０ａと前記取着片６とを共に、前記連設部９の上方に延長させ、両延長部分を一体化して構成されている。又、該遮光張出片１６の表面部１９には、図１、図４、図５〜７に示すように、前記カーテン５を引上げ操作するための操作紐２０を挿通させる紐通し部材２１を取り付けるための取付け部２２を構成する遊離片２２ａが、幅方向に小間隔を置いて並設されている。
【００２０】
該遊離片２２ａは細幅織物として形成されており、図１、図６に示すように、前記遮光張出片１６の表面部１９に、両端２５，２５が該表面部１９に織り込まれ且つ中間部分２６が該表面部１９から遊離して形成されている。前記紐通し部材２１は、図６に示すように、前記操作紐２０を挿通させるリング片２７に、該取付け部２２（遊離片２２ａ）に掛着させ得る掛着片２９が設けられてなる。
【００２１】
ここで前記構成を有する遮光型管状テープ１の主要部寸法を例示すれば、前記取着片６の幅寸法は１３ｍｍ程度に、前記管状体１０ａの幅寸法は１３ｍｍ程度に、又、前記遮光張出片１６幅寸法は５ｍｍ程度に、前記開口１２の長さは１９ｍｍ程度に、前記所要間隔Ｌは１９ｍｍ程度に、更に、前記遊離片２２ａの幅は２．７ｍｍ程度に、該遊離片２２ａの長さは１３ｍｍ程度に夫々設定されている。
【００２２】
かかる構成の遮光型管状テープ１を用いて前記引上げ式カーテン３を構成するに際しては、図２、図４、図６〜７に示すように、該遮光型管状テープ１の前記取着片６を、カーテン５の裏面部（屋外側の面部）３０に、その下端寄りの部分を基端として上方に向け所要間隔で、水平状態で多段（例えば２５ｃｍ程度の間隔を置いて多段に）に縫い付ける。カーテンの裏面部３０に当った光は、前記縫い目列７の縫い目３２を通過できる。
【００２３】
この縫い付けの要領は、図８に示すように、前記取着片６を、前記遊離片２２ａを表にして且つ前記遮光張出片１６を上側にして、カーテンの裏面部３０に、その幅方向に延びる如く当接させ、該取着片６を、前記連設部９よりも下側位置において縫い付けて行う。本実施例においては、前記連設部９から下方に１〜２ｍｍ程度離れた部位で縫い付ける。本実施例においては図０に示すように、１本の縦糸の織り込みによって、縫い付けの目安線２８が設けられている。そして図４に示すように、各段の遊離片２２ａが上下方向一直線に並設される如くなす。又図９に示すように、前記管状体１０ａの両端部分３３，３３を表側に折り曲げて、該折り曲げ部分をカーテン５の両側部分３５，３５に縫い付けている。これによって、管状体１０ａは、両端が閉じた有底の袋状部３６とされる。
【００２４】
そして、このようにして取着された各管状体１０ａには、図６〜９に示すように、前記開口１２を通して前記棒状体１３が挿入される。この棒状体１３は、例えば中実或いは中空の合成樹脂製等の棒材からなり、その横断面形態は問わない。該横断面形態が、例えば楕円形状や円形状、矩形状、正方形状等を呈するもの等を採用できる。本実施例においては図６〜８に示すように、楕円形パイプ状をなす合成樹脂製の棒材からなる棒状体１３が前記開口１２を通して前記管状体１０ａに挿入される。
【００２５】
該管状体１０ａに棒状体１３が挿入されることにより、該管状体１０ａは、図６、図８〜９に示すように垂れた状態となるので、該垂れた状態の管状体１０ａにより前記縫い目列３１が覆い隠され、各縫い目３２を通して光が室内に漏れるのを効果的に防止できる。そして、該管状体１０ａの垂れた状態は、前記のように、該管状体１０ａの両端部分３３，３３が折り曲げられてカーテンの両側部分３５，３５に縫い付けられていることから安定的に保持される。又、本実施例においては図６、図８に示すように、前記遮光張出片１６が、前記連設部９の上方に突出するように設けられてカーテンの裏面部３０に重なった状態にあるため、該遮光張出片１６の遮光作用が効果的に働く。従って、カーテン５の裏面部３０に当った光が前記縫い目３２に入りにくい。
【００２６】
特に本実施例においては、図２、図８に符号で示すように、前記管状体１０ａを構成する裏面部１７と前記取着片６の表裏面６ａ，６ｂとを黒やグレー、ベージュ、紺等の光吸収性を有する色に着色しているため、該着色による光吸収作用によって遮光効率をより向上させることができる。かかる光吸収の一つの態様は、前記縫い目３２を通して室内に進入した光の吸収であり、又、前記遮光張出片１６と前記カーテンの裏面部３０との間に進入した光の吸収である。なお本実施例においては、カーテン５の裏面部３０の見栄えを良好とするために、前記管状体１０ａの表面部２３（図１〜２）はカーテン５の裏面部３０と同系色に着色されている。加えて本実施例においては、図８に示すように、該管状体１０ａが垂れた状態となることによって前記棒状体１３も前記縫い目列７に被るように構成されているため、より一層確実に遮光できることとなる。
【００２７】
なお、前記管状体１０ａからの前記棒状体１３の取り外しは、前記開口１２を通して容易に行うことができる。このようにして棒状体１３を取り外すことにより、カーテン５のクリーニングが可能となる。
【００２８】
かかる構成を有する遮光型管状テープ１を用いて前記引上げ式カーテン３を構成するに際しては、図４、図６に示すように、カーテン５の幅方向に２５ｃｍ程度の間隔を置いて選択された上下方向に並ぶ遊離片２２が形成する遊離した部分３９の夫々に、前記紐通し部材２１の掛着片２９を掛着し、上下方向に並ぶ各リング片２７に前記操作紐２０を挿通せしめ、且つ該操作紐２０の下端４０をカーテン５の下端側部位４１に取り付ける。本実施例においては図０に示すように、前記カーテン５の下端側部位４１に、取付具４２を介して取り付ける。そして該操作紐２０は、操作ボックス（図３）４３における巻き上げ装置によって引き上げ可能とされる。
【００２９】
然して該操作紐２０を引き上げると、前記管状体１０ａに前記棒状体１３が挿通されているため、図３に示すように、カーテン５は、前記した直線状の棒状体１３によってカーテンのひだ状折り返し部の直線性が確保され、矩形状のひだ状折り返し部２を形成しつつ該ひだ状折り返し部２が積み重なる状態に引上げられることとなる。そして図４に示すように操作紐２０を巻き戻すことによりカーテン５は、図４に示す垂下状態を呈する。この状態で、垂れた状態にある前記管状体１０ａや前記棒状体１３が効果的な遮光作用を発揮する。本実施例においては、前記連設部９の上方に突出するように遮光張出片１６が設けられているため、カーテンの裏面部３０に当った光が前記縫い目３２に入りにくい効果が伴う。なお該遮光張出片１６は、前記連設部９で上方に突出するため該連設部９を中心にして下方向に開き易い構造となっているが、カーテン５が下ろされた状態で、前記操作紐２０が挿通されている前記紐通し部材２１が、図６に示すように前記遮光張出片１６を表側から押えた状態となるため、該遮光張出片１６の開きが極力防止されることとなる。これによって、前記縫い目列７の各縫い目３２を通して光が室内に漏れるのを効果的に防止できることとなる。
【実施例２】
【００３０】
本発明は、前記実施例で示したものに限定されるものでは決してなく、「特許請求の範囲」の記載内で種々の設計変更が可能であることはいうまでもない。その一例を挙げれば次のようである。
【００３１】
(1) 図１０〜１１は、本発明に係る遮光型管状テープ１の他の実施例を示すものであり、遮光性のカーテン５に幅方向（水平方向）で縫い付けられる取着片６と、該取着片６の上縁側の部分であって且つ該縫い付けによる縫い目列７よりも上側をなす水平な連設部９に連設されたカバー片１０とを具えている基本構成は実施例１における場合と同様であり、全体が製織により一体に形成されている。前記取着片６は、水平方向に延長する管状体６ａとして構成されている。そして該管状体６ａに棒状体１３が挿入された状態で、該管状体６ａが、該棒状体１３よりも上側部位において縫い付けられる。又前記カバー片１０は、前記取着片６の上縁側の部分であって該縫い付けによる縫い目列７よりも上側をなす水平な連設部９に連設されており、図１０〜１１に示すように垂れた状態で、該縫い目列７を覆い隠す如くなされている。これにより、各縫い目３２を通して光が室内に漏れるのを効果的に防止できる。
【００３２】
本実施例において、前記取着片６（管状体６ａ）の全体と前記カバー片１０の裏面部４７とを黒色乃至グレー等の光吸収性を有する色に着色しているため、該着色による光の吸収作用によって遮光効率をより向上させることができる。なお該カバー片１０の表面部４７もかかる色に着色してよいのであるが、前記カーテン５の裏面部３０の見栄えを良好とするために、該表面部４７をカーテン５と同系色に着色してもよい。
【００３３】
そして本実施例においても、実施例１におけると同様構成の遮光張出片１６が、前記連設部９の上方に突設されているため、該遮光張出片１６の遮光作用が効果的に働き、カーテン５の裏面部３０に当った光が前記縫い目３２に入りにくい。
【００３４】
本実施例においては、実施例１における場合とは異なり、前記カーテン５の裏面部３０に当接状態となる前記取着片６の上縁に、該裏面部３０に当接し得る前記遮光張出片１６が突設されているため、前記管状体６ａに前記棒状体１３が挿入されて該管状体６ａが垂れた状態にあっても、該遮光張出片１６が該裏面部３０から離れにくい（該遮光張出片１６が前記連設部９を中心として開きにくい）という利点がある。
【００３５】
(2) 図１２〜１３は、前記遮光張出片１６が省略された遮光型管状テープ１をその使用状態で示すものであり、前記同様にして取着片６がカーテン５に縫い付けられている。本実施例においては、前記と同様構成用の遊離片２２ａが管状体１０ａに設けられている。該遊離片２２ａは、該管状体１０ａの表面部２３に、両端２５，２５が該表面部２３に織り込まれ且つ中間部分２６が該表面部２３から遊離して形成されており、該管状体１０ａの長さ方向（水平方向）に所要間隔を置いて並設されている。そして、前記と同様構成の紐通し部材２１が所要の遊離片２２ａに掛着されている。
【００３６】
(3) 図１４、図１５に示すように、前記操作紐２０を、前記遊離片２２ａ等のガイド片６５と前記遮光張出片１６の表面部１９との間（即ち紐挿通部６３）に挿通させることとしてもよい。又図１６に示すように、前記操作紐２０を、前記遊離片２２ａ等のガイド片６５と前記管状体１０ａの表面部２３との間（即ち、紐挿通部６３）に挿通させることとしてもよい。又図１７に示すように、前記操作紐２０を前記遊離片２２ａ等のガイド片６５と前記カバー片１０の表面部６６との間（即ち、紐状挿通部６３）に挿通させることとしてもよい。又図１８に示すように、前記操作紐２０を、前記取着片６又は前記カバー片１０の上縁６７に設けたループ部６９としての取付け部２２に取り付けた紐通し部材２１に挿通させることとしてもよい。又図１９に示すように、前記操作紐２０を、前記上縁６７に設けたループ部としての紐状挿通部６３に挿通させることとしてもよい。
【００３７】
(4) 前記棒状体１３を、前記管状体１０ａ，６ａの一端部から順次該管状体１０ａ内に挿入させるように構成する場合は、前記開口１２を省略できる。
【００３８】
(5) 前記取着片６の縫い付け部位は、カーテン５に対して取着片６を縫い付けた時に生ずる縫い目列３１を垂れた状態のカバー片１０で覆い隠すことができるものであれば制約はない。
【００３９】
(6) 前記取着片６の幅寸法は、該取着片６をカーテン５に縫い付けにより取着できるものであれば、該取着片６の下端縁４５（図８）が、垂れた状態のカバー片１０の下端縁４６の稍下側に位置するように比較的大きく設定されてもよく、或いは、該取着片６の下端縁４５が、垂れた状態のカバー片１０の下端縁４６の稍上側に位置するように比較的小さく設定されてもよい。
【００４０】
(7) 本発明に係る遮光型管状テープ１は、前記縫い目列３１の各縫い目３２からの光を、垂れた状態のカバー片１０で遮光できるものであれば、その着色状態は問わない。取着片６やカバー片１０が厚手に形成されている場合は、着色されないで白色を呈することもある。又、該縫い目列３１が管状体１０ａ，６ａ内に挿入されている棒状体１３で覆い隠される必要もない。
【００４１】
(8) 本発明に係る遮光型管状テープ１は、前記実施例においては全体を製織により構成しているが、高密度の編物を以て構成してもよい。又、１枚の織物や編物等を二つ折りして構成することもある。図１６〜１９に示す遮光型管状テープ１は、かかる二つ折り片を以て構成することができる。更に該遮光型管状テープ１は、複数の片を縫製したり接着する等して構成してもよい。
【００４２】
(9) 前記遮光張出片１６は、前記のように、前記取着片６の上縁及び前記カバー片１０の上縁に突設され該突設された両者が一体化されることにより構成されることの他、該取着片６の上縁又は該カバー片１０の上縁でのみ突設されて構成されることもある。
【００４３】
(10)図２０〜２２は、前記と同様構成（但し管状体１０ａ，６ａに前記棒状体１３を挿入させることは予定されない）の遮光型管状テープ１を、引上げ式カーテン用のコードガイドテープ７０として応用した場合を示すものである。この場合は図２１に示すように、前記取着片６が、カーテン５の裏面部３０の適部位に、上下方向に延びる如く縫い付けられる。
【００４４】
そして前記遮光張出片１６の表面部１９に並設されている前記取付け部２２としての遊離片２２ａの所要のものに、図２２に示すように、カーテンを引上げ操作するための操作紐２０を挿通させる紐通し部材２１を取り付け可能となされている。
【００４５】
或いは図２３に示すように、前記遮光張出片１６の表面部１９にその長さ方向に所要間隔を置いて（例えば１５〜２０ｃｍ程度の間隔を置いて）、ループ６０としての取付け部２２を設け、該ループ６０に、前記紐通し部材７１を取り付け可能としてもよい。その他、紐通し部材２１が取り付けられることなく、図２４に示すように、前記張出片１６に紐通し部７２を直接に設けてもよい。前記カバー片１０にも同様に設けることができる。
【００４６】
然して、前記遊離片２２ａや前記紐通し部材７１に操作紐２０を挿通させたり、或いは前記紐通し部７２に操作紐２０を挿通させると共に、該操作紐２０の下端部６１を最下端のループ或いは取付具６２に固定し、該操作紐２０を巻き上げ装置によって巻き上げ、巻き戻し操作することにより、カーテン５を引上げ可能とし、又、該カーテン５を下ろすことができる。なお前記紐通し部材７１は、図２５に示すように、カバー片１０に取り付けることも可能である。又、前記遮光張出片１６や前記管状体１０ａ，カバー片１０に紐通し部材２１を取り付ける手段は、他の各種公知手段を採用できる。そしてカーテン５を下ろした状態で、前記カバー片１０が、前記取着片６のカーテン５への縫い付けによって生じた縫い目７を覆い隠し、各縫い目３２を通して光が室内に漏れるのを効果的に防止する。
【００４７】
図２５〜２６は前記コードガイドテープ７０の他の実施例を示すものであり、前記取着片６と前記カバー片１０とが折り目７３の両側部分として形成されている。そして、該取着片６は、該折り目７３寄りの部位で、該折り目７３と平行してカーテン５の裏面部３０の適部位に、上下方向に延びる如く縫い付けられる。又該取着片６の例えば長手中央線に沿って、図２５に示すように、前記と同様構成で、前記操作紐２０を挿通させる紐通し部材２１を取り付けるための前記取付け部２２を構成する遊離片２２ａが、小間隔で並設されている。
【００４８】
又、前記カバー片１０には、図２５に示すように、その長手中央線に沿って、前記遊離片２２ａの所要のものに取り付けられた、例えばリング状を呈する紐通し部材２１を通すためのボタンホール状の取付け孔７５が設けられている。
【００４９】
図２６は、前記コードガイドテープ７０を二つ折りした状態を呈しており、前記遊離片２２ａに取り付けられたリング状の紐通し部材２１が該取付け孔７５を通してカバー片１０の表面側に突出した状態を示している。そして該二つ折り状態で、該カバー片１０が前記取着片６のカーテン５への縫い付けによって生じた縫い目３２を覆い隠し、各縫い目３２を通して光が室内に漏れるのを効果的に防止する。
【００５０】
本発明に係る遮光型管状テープ１がこのようにコードガイドテープとして応用された場合も、前記した各変更構成を適宜用いることができる。
【符号の説明】
【００５１】
１  遮光型管状テープ
２  ひだ状折り返し部
３  引上げ式カーテン
５  カーテン
６  取着片
７  縫い目列
９  連設部
１０  カバー片
１２  開口
１３  棒状体
１６  遮光張出片
２０  操作紐
２１  紐通し部材
２２  取付け部
２２ａ  遊離片
３２  縫い目
【図１】
2014097121.tif 000003
【図２】
2014097121.tif 000004
【図３】
2014097121.tif 000005
【図４】
2014097121.tif 000006
【図５】
2014097121.tif 000007
【図６】
2014097121.tif 000008
【図７】
2014097121.tif 000009
【図８】
2014097121.tif 000010
【図９】
2014097121.tif 000011
【図１０】
2014097121.tif 000012
【図１１】
2014097121.tif 000013
【図１２】
2014097121.tif 000014
【図１３】
2014097121.tif 000015
【図１４】
2014097121.tif 000016
【図１５】
2014097121.tif 000017
【図１６】
2014097121.tif 000018
【図１７】
2014097121.tif 000019
【図１８】
2014097121.tif 000020
【図１９】
2014097121.tif 000021
【図２０】
2014097121.tif 000022
【図２１】
2014097121.tif 000023
【図２２】
2014097121.tif 000024
【図２３】
2014097121.tif 000025
【図２４】
2014097121.tif 000026
【図２５】
2014097121.tif 000027
【図２６】
2014097121.tif 000028
【図２７】
2014097121.tif 000029
【図２８】
2014097121.tif 000030
【図２９】
2014097121.tif 000031
【図３０】
2014097121.tif 000032